(57)【要約】【課題】リニアアンプを介して送信する際の設定を簡略化し、リニアアンプを好適な状態で動作させる無線機を提供する。【解決手段】  送信出力が可変可能な送信出力可変手段と、リニアアンプ内の電力増幅器を使用して送信するか、使用しないで送信するか、を設定するリニアアンプ設定手段と、リニアアンプ設定手段が、前記電力増幅器を使用して送信すると設定した場合には送信出力可変手段の最大値を複数の周波数帯毎に最大値以下の所定の送信出力に制限し、電力増幅器を使用しないで送信すると設定した場合には送信出力は送信出力可変手段による設定値となる最大値制限制御手段と、を備える【選択図】図１
2014093534.tif 000002
【特許請求の範囲】
【請求項１】
複数の周波数帯を排他的に使用するリニアアンプが接続され、前記複数の周波数帯のいずれかを選択して送信可能な無線機であって、
前記無線機は、
送信出力が可変可能な送信出力可変手段と、
前記リニアアンプ内の電力増幅器を使用して送信するか、使用しないで送信するか、を設定するリニアアンプ設定手段と、
前記リニアアンプ設定手段が、前記電力増幅器を使用して送信すると設定した場合には前記送信出力可変手段の最大値を前記複数の周波数帯毎に該最大値以下の所定の送信出力に制限し、前記電力増幅器を使用しないで送信すると設定した場合には前記送信出力は送信出力可変手段による設定値となる最大値制限制御手段と、
を備えることを特徴とする無線機。
【請求項２】
前記最大値制限制御手段は、前記リニアアンプ設定手段が前記電力増幅器を使用して送信すると設定した場合、前記送信出力可変手段の設定が何れであっても、所定の送信出力とすることを特徴とする請求項１に記載の無線機。
【請求項３】
前記最大値以下の所定の送信出力に制限する設定を、前記複数の帯域毎に記憶する最大電力記憶部を備えることを特徴とする請求項１及び２に記載の無線機。
【請求項４】
前記最大電力記憶部は、前記最大値以下の所定の送信出力に制限する設定と共に、前記リニアアンプ設定手段にて設定される前記リニアアンプ内の電力増幅器を使用して送信するか、使用しないで送信するか、の設定を記憶することを特徴とする請求項３に記載の無線機。
【請求項５】
前記最大電力記憶部に前記最大値以下の所定の送信出力に制限する設定が記憶されていない帯域では、前記リニアアンプ設定手段は前記リニアアンプ内の電力増幅器を使用して送信する設定が禁止されることを特徴とする請求項３または４に記載の無線機。
【請求項６】
前記リニアアンプ設定手段に対し前記リニアアンプ内の電力増幅器を使用して送信する設定が禁止されている状態を解除し、前記送信出力可変手段を有効にする調整モード機能を備えることを特徴とする請求項５に記載の無線機。
【請求項７】
前記調整モード機能は、
前記リニアアンプ設定手段を、リニアアンプを使用して送信する設定とし、
前記送信出力可変手段を、所定の送信出力から所定のステップで送信出力を増加させ、前記リニアアンプが出力する所定の検出信号により送信出力の増加を停止させ、
前記最大電力記憶部に、前記検出信号により送信出力の増加が停止した際の出力となる設定を記憶させること、
を特徴とする請求項６に記載の無線機。
【発明の詳細な説明】
【技術分野】
【０００１】
本発明は、無線機に関する。
【背景技術】
【０００２】
より遠方との通信を行うため、無線機の送信出力を増加させるリニアアンプを無線機の後段に接続して運用することが行われている。
従来、数ｋＷのリニアアンプでは真空管が主流であったが、近年はＰｏｗｅｒ  ＭＯＳ  ＦＥＴ（Field Effect Transistor）の大電力化と増幅器の並列動作により半導体によるリニアアンプが主流となっている。
特許文献１には、電力増幅ブースタの電力増幅器を好適な状態で動作させる技術が開示されている。
【先行技術文献】
【特許文献】
【０００３】
【特許文献１】特開平５-１６０７７２号公報
【発明の概要】
【発明が解決しようとする課題】
【０００４】
しかしながら、数１００Ｗ〜数ＫＷクラスの半導体によるリニアアンプは、同クラスの真空管式リニアアンプに比べ、過度の入力信号に対してデバイスが壊れやすく、リニアアンプ側における入力信号に対する保護は過敏なセッティングとされることが多い。そのため従来のリニアアンプから信号をフィードバックする制御（ＡＬＣ:Automatic Level Control）では、応答が間に合わず、保護回路が動作して好適な状態で動作させることができず、そのため、無線機側の送信出力を適度に下げるように調整する必要があった。
また、無線機及びリニアアンプが複数の通信帯域（以降、バンドと記載する）を備えている場合には、リニアアンプ側のゲインばらつきに応じて無線機側の各バンドの送信電力を調整する必要があった。
また、リニアアンプを使用した後に、リニアアンプを介さないで送信する状態に切換えた場合に、無線機側の送信出力を下げたまま送信してしまう虞があった。
本発明はこのような問題点に鑑みなされたものであり、リニアアンプを介して送信する際の設定を簡略化し、リニアアンプを好適な状態で動作させる無線機を提供することを目的とする。
【課題を解決するための手段】
【０００５】
上述した従来の技術の課題を解決するため、本発明にかかる無線機は、送信出力が可変可能な送信出力可変手段と、前記リニアアンプ内の電力増幅器を使用して送信するか、使用しないで送信するか、を設定するリニアアンプ設定手段と、
前記リニアアンプ設定手段が、前記電力増幅器を使用して送信すると設定した場合には前記送信出力可変手段の最大値を前記複数の周波数帯毎に該最大値以下の所定の送信出力に制限し、前記電力増幅器を使用しないで送信すると設定した場合には前記送信出力は送信出力可変手段による設定値となる最大値制限制御手段と、を備えることを特徴とする。
【発明の効果】
【０００６】
本発明の無線機によれば、リニアアンプを介して送信する際の設定を簡略化し、リニアアンプを好適な状態で動作させることができる無線機を提供するこができる。
【図面の簡単な説明】
【０００７】
【図１】実施形態における無線機である無線機１及びリニアアンプ２のブロック図である。
【図２】ＡＬＣの動作を説明するための図である。
【図３】送信出力を可変するための動作の詳細を説明するための図である。
【図４】ＡＬＣループの応答を表す概念図である。
【図５】最大電力記憶部に記憶された設定値の例を表す図である。
【発明を実施するための形態】
【０００８】
以下、本発明の実施形態について添付図面を参照して詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【０００９】
図１は、本発明の一実施形態に係る無線機器である無線機１及びリニアアンプ２のブロック図である。
無線機１は、少なくとも変調器１０１、可変増幅器１０２、電力増幅器１０３、電力検出器１０４、電力比較器１０５、制御部１４０、操作部１５０、を備える。制御部１４０は、電力制御部１０８、送信電力を制御するためのデジタル値を電力比較器に対して比較用の基準信号１ｂに変換するＤＡ変換器１１０と、を備える。操作部１５０は、送信電力の調整の操作が行われる電力調整部１０６、送信受信の切り換えを行うＰＴＴ（Ｐｕｓｈ  ｔｏ  Ｔａｌｋ）を備える。例えば電力調整部１０６が可変抵抗器等によりユーザが送信電力を設定するものであれば、電力調整部１０６により設定された電圧をデジタル値に変換するＡＤ変換器１０７と、を備えてもよい。むろんこれは１例であり、２つのスイッチ（アップダウンキー）により電力調整してもよく、この場合にはＡＤ変換器１０７は不要である。
【００１０】
変調器１０１は、例えば音声信号をＳＳＢ，ＡＭといった振幅変調信号への変調を行う。可変増幅器１０２は、後述するＡＬＣ制御により所定の送信電力値に制御を行うため、制御信号１ａによりゲインが可変可能な増幅器である。可変増幅器１０２は、無論増幅せずに減衰させてもよく、可変減衰器であってもよい。
電力増幅器１０３は、無線機１の終段増幅器であって、無線機１の送信出力が規定の値となるまで増幅する。電力検出器１０４は、ＣＭカップラー等により送信電力の一部を抽出して検波し、直流電圧（検出信号１ｃ）に変換する。
【００１１】
電力比較器１０５は、電力検出器１０４からの検出信号１ｃと後述する電力制御部１０８がＤＡ変換器１１０を介して出力する基準信号１ｂと比較し、その結果を可変増幅器１０２へ制御信号１ａとして出力する。
【００１２】
電力制御部１０８は、前記した電力調整部１０６を用いてユーザが所望の送信電力となるよう設定した電圧を、ＡＤ変換器１０７を介してデジタル値として検出する。電力制御部１０８は、検出したデジタル値を、適切な制御値となるように演算処理を行った結果を、ＤＡ変換器１１０を介して電力比較器１０５に基準信号１ｂとして出力する。
【００１３】
上記した構成により無線機１は、電力制御部１０８からＤＡ変換器１１０を介して出力される基準信号１ｂと、電力検出器１０４からの検出信号１ｃとを比較した結果により可変増幅器１０２を制御することで、送信出力電力を制御する。
【００１４】
リニアアンプ２は、少なくとも電力増幅器２０１、電力検出器２０２、切替器２０３及び２０４、リニアアンプ制御部２０５、電力検出器２０７と、を備える。リニアアンプ２の電力増幅器２は、無線機１の最大送信出力以上の送信出力が可能な電力増幅器であり、無線機１からの送信信号を増幅する。電力検出器２０２は、リニアアンプ２への入力電力を検出してリニアアンプ制御部２０５へ出力する。
【００１５】
電力検出器２０７は、リニアアンプ２の出力電力を検出してリニアアンプ制御部２０５へ出力する。詳細にはいずれの電力検出器も電力の一部をＣＭカップラー等により抽出し、さらに検波、整流して電圧に変換してリニアアンプ制御部２０５へ出力する。
【００１６】
リニアアンプ制御部２０５は、電力検出器２０２により検出された電力が所定の入力電力を超えた場合に、電力増幅器２０１に過剰な入力電力が加わらないように保護するため、切替器２０３及び２０４を切換え、入力された電力がスルー経路２ｃを経由してアンテナ３に出力される。
さらに、リニアアンプ制御部２０５は、リニアアンプ２の電力増幅器２０１を介して送信するか、電力増幅器２０１で増幅せずにスルー経路２ｃから送信するかを、操作部２０６からの指示により、または無線機１の制御部１５０からのリニアアンプ制御信号２ｂによる指示により切替器２０３及び２０４を切り換える。
さらに、リニアアンプ制御部２０５は、図示しない無線機１の受信部が受信動作を行う場合はアンテナ３で受信した信号を、スルー経路２ｃを介して無線機１に伝える。
【００１７】
また、リニアアンプ制御部２０５は、電力検出器２０７により検出された電力を使用者が現在のリニアアンプ２の出力値を認知が容易な値に変換し表示部２０７に備えられたメーター等に表示させる。またリニアアンプ２の規定の出力または無線局に許可された出力を超えないように、無線機1に対してＡＬＣ制御を行う信号である外部ＡＬＣ信号２ａを出力する。
【００１８】
図２は、無線機１の送信出力を所定の出力で制限するための動作の詳細を示した図である。電力比較器１０５の動作は、例えば図２（ａ）に示すような差動増幅器であって、制御信号１ａ、基準信号１ｂ及び検出信号１ｃが共に電圧であり増加する方向が送信電力の大きくなる方向であるとする。図２（ｂ）は、それらの関係を示す。図２（ｂ）は、横軸を振幅変調であることから変調器出力とし、縦軸をそれぞれの電圧または送信電力とする。
【００１９】
図２（ｂ）に示すように、変調器出力の増加により無線機出力が増加する（５０１）。それに対応して検出電圧１ｃ（検出信号）も増加する（５０２）。無線機出力が所定の値Ｐ０に達するまでは、制御電圧１ａ（制御信号）は一定の値を維持し（５０３）、そのため可変増幅器１０２の利得は一定に維持されている。
【００２０】
変調器出力が増加し、無線機出力がＰ０を越えようとすると、検出電圧１ｃが、無線機出力がＰ０となるよう設定された基準電圧１ｂ（Ｐ０）を超えることになる。変調器出力がさらに増加した場合、検出電圧１ｃが基準電圧１ｂ（Ｐ０）を超えるため制御電圧１ａは、変調器出力の増加に対応して減少する（５０４）ことにより、可変増幅器１０２の利得は無線機出力が一定（５０６）となるように制御される。
【００２１】
振幅変調のため、振幅が所定の出力（Ｐ０）に達しない場合が存在し、この状態では上記した電力比較器１０５による制御は動作していない。つまりこの制御が動作しないレベルの振幅変調の信号は、無線機の送信信号の増幅に用いられる増幅器全てのリニアリティーの範囲内で忠実に変化する。しかし音声信号のように変動が大きい信号では、図２（ｂ）の領域Ａに示すような、所定の出力を超える変調器出力となることは頻繁に起こりえる。その際に無線機出力を所定の値Ｐ０に押さえるのはもちろんのこと（５０６）、制御がかからなかった場合の出力特性５０５に示すような飽和領域に突入してしまうことにより生じる無線機出力の歪みを抑制する。この制御がＡＬＣ制御である。
【００２２】
送信出力は法的な規制があることから、振幅変化のピークが所定のパワーとなったらＡＬＣにより制限される。振幅変調では、送信出力は一定ではないため、ＡＬＣにより制限されるピークパワー  「Ｗｐｅｐ（Peak Envelope Power）」で送信出力の規制値を表す場合もある。
【００２３】
図３は、送信出力を可変するための動作の詳細を説明するための図である。上記のＡＬＣ制御の説明から、送信出力を可変するためには、基準電圧１ｂを１ｂ（Ｐ１）や１ｂ（Ｐ２）に変更することで実現できることは容易に理解できるところである。しかしながら、図３（ａ）に示すようにＰ０からＰ１やＰ２に出力を下げた場合、Ｐ０に対してより少ない変調器出力でＡＬＣ制御が開始されることから、変調器出力の最大値まで制御電圧１ａが対応しきれない場合がある（５０６，５０７）。
【００２４】
そのため変調器から電力増幅器までの信号増幅系の経路のいずれかの利得を基準電圧１ｂと対応させて変化するようにし、可変増幅器１０２の制御範囲が変調器出力の変化幅に対応できるようにしている。
つまり、出力Ｐ０に対してＰ１，Ｐ２に対応した利得となるようにするため、図３（ｂ）で示すようにＰ１，Ｐ２に至る傾きは５０８、５０９のように少なくなる。
【００２５】
図１を用いて、リニアアンプ２を使用する場合の出力制御の説明をする。
電力検出器２０２および２０７は無線機側と機能は同じであるが、目的が異なるためその動作は後述する。
リニアアンプ２にも無線機１と同様にリニアアンプ制御部２０５内に電力比較器等によるＡＬＣ制御回路を備えている。その制御出力２ａは無線機１の外部ＡＬＣ  Ｉ／Ｆ（Interface）に入力される。外部ＡＬＣ  Ｉ／Ｆは無線機１の制御電圧範囲に変換し可変増幅器１０２を制御する。
【００２６】
外部ＡＬＣによるＡＬＣ制御と、無線機１内のＡＬＣ制御は共に動作してもよい。しかし、リニアアンプが規定の送信出力を出すのに、通常は無線機１の最大送信電力は必要としないため、無線機１内のＡＬＣ制御より外部ＡＬＣ制御の方が先に、つまりより低い無線機の出力で動作する。
これは、先に説明したように、ＡＬＣ回路のみで出力が制御されることから制御電圧１ａが適正な範囲に納まらない場合がある。
【００２７】
ＡＬＣはフィードバックループによる制御であり、目標とする出力に対して過剰な入力をＡＬＣのフィードバックループ（ＡＬＣループ）に加えた場合の挙動を図４により概念的に示す。
【００２８】
図４（ａ）は、前述した変調器出力と無線機出力との関係を示した図である。変調器出力はＡＬＣループの入力であり、無線機出力はＡＬＣループの出力である。
図４（ａ）は、出力に対して過剰な入力とならない場合を示す。
図４（ｂ）は、図４（ａ）に対応した入力の振幅の時間的な変化を表している。
図４（ｃ）は、図４（ａ）に対応した出力の振幅の時間的な変化を表している。
図４（ｃ）から判るように、過剰ではない入力に対しては、目標とする出力Ｐ０に収束する時間（５０８）は早く、オーバーシュート（５０９）は僅かである。
図４（ｄ）は、出力に対して過剰な入力となる場合を示す。
図４（ｅ）は、図４（ｄ）に対応した入力の振幅の時間的な変化を表している。
図４（ｆ）は、図４（ｄ）に対応した出力の振幅の時間的な変化を表している。
図４（ｆ）から判るように、過剰な入力に対しては、目標とする出力値Ｐ１に収束する時間（５１０）が長く、オーバーシュート（５１１）は大きくなる。
【００２９】
図４の説明は、あくまで概念的な説明であり、オーバーシュート量や収束時間は、ＡＬＣループの時定数により絶対的な値は変わる。リニアアンプ２からの外部ＡＬＣによる制御だけではオーバーシュートが大きくなる傾向であることは事実であり、この過剰な電力がリニアアンプ２の電力増幅器２０１に加わらないように保護動作が行われる。
具体的には、電力検出器２０２でリニアアンプ２の入力電力を検出し、リニアアンプ制御部が過剰な入力であると判断した場合には、切替器２０３および２０４をスルー経路２ｃに切り換え、電力増幅器２０１に過剰な電力が加わらないようにする。
【００３０】
よって、リニアアンプ２を使用する場合には、無線機１の送信電力を予め下げておく必要があり、そのため、本願実施例では、リニアアンプ使用時の最大電力値を記憶する最大電力記憶部１０９を備える。
【００３１】
最大電力記憶部１０９は、リニアアンプ２に対する入力電力が適切となる出力となる基準電圧１ｂのデジタル値１ｂ（ｄ）を周波数帯毎に記憶する。むろん電力制御部１０８の入力であるＡＤ変換器１０７の出力を記憶してもよい。
帯域は、アマチュア無線であれば、１．９ＭＨｚ帯、３．５ＭＨｚ帯、３．８ＭＨｚ帯、非常通信用の４．６３ＭＨｚ、７ＭＨｚ帯、１０ＭＨｚ帯、１４ＭＨｚ帯、１８ＭＨｚ帯、２１ＭＨｚ帯、２４ＭＨｚ帯、２８ＭＨｚ帯、５０ＭＨｚ帯といった帯域毎に適切な最大電力値を記憶する。
むろん２８ＭＨｚ帯や５０ＭＨｚ帯といった比較的帯域幅の広い周波数帯はその設定値を１つではなくさらに帯域を細分化して２つ以上の最大電力値を記憶してもよい。
【００３２】
この最大送信電力値が基準電圧１ｂのデジタル値（電力制御値）１ｂ（ｄ）に用いられる条件は、
１）リニアアンプ２を使用した送信とする場合、かつ、
２）電力調整部１０６の設定が最大電力値の設定以上となっている場合、
である。
【００３３】
詳細に記載すると、１）は、無線機１側には、リニアアンプ制御（リニアアンプを使用するか否かの設定）を備えている。この設定が「Ｏｆｆ」つまり「使用しない」設定であれば、リニアアンプ２の切替器２０３は動作せず、無線機１はスルー経路２ｃを介して送受信を行う。そのため、電力制御値１ｂ（ｄ）がリニアアンプ用の最大電力値に設定される必要は無く、無線機１の電力調整部１０６による設定がそのまま反映される。
リニアアンプ制御をＯＮつまり「使用する」設定であれば、無線機１のＰＴＴ１１１が操作され送信状態となると、リニアアンプ制御線２ｂによりリニアアンプ制御部に切替器を電力増幅器２０１側に切り換える指示および電力増幅器を動作状態とする指示を出力する。
【００３４】
２）は、さらに、電力調整部１０６の設定が、記憶した最大電力設定値を超えている場合には、電力調整部１０６による設定が反映されないようにし、記憶した最大電力値による制御を行う。
また、電力調整部１０６の設定が記憶した最大電力値以下であれば、電力調整部１０６による設定を反映して制御を行ってもよい。
また、１）の条件の元では、電力調整部１０６の設定に係わらず記憶した最大電力値による制御としてもよい。
【００３５】
最大電力値が設定されていない帯域で、リニアアンプ２を介して送信しようとした場合には、無線機１からリニアアンプ２に対して、リニアアンプ制御線２ｂによるリニアアンプ制御部に切替器を電力増幅器２０１側に切り換える指示および電力増幅器を動作状態とする指示を出さないようにし、その旨を無線機１側の図示しない表示部に警告を表示させてもよい。
【００３６】
以上の構成により、リニアアンプ２を使用する際に、不用意に無線機１の送信電力制御を最大にしてしまったとしても、記憶された最大電力値以上は出力されないため、リニアアンプ２の保護は働かず快適な運用が可能となる。
【００３７】
前記したが、リニアアンプ２は、使用する帯域により利得が異なる場合も多く、帯域毎に適切な入力電力が異なる場合もあるため、無線機１は、帯域毎に最大電力値を記憶してもよい。
図５は最大電力値とリニアアンプ制御の設定の例を示した図である。図５（ａ）は帯域毎に最大電力値とリニアアンプ制御の設定を示した図であり、図５（ｂ）はメモリチャネル毎に最大電力値とリニアアンプ制御の設定を示した図である。
【００３８】
図５（ａ）に示す１４ＭＨｚ帯は、最大電力値が設定され、リニアアンプ制御もＯｎになっているため、１４ＭＨｚ帯では、リニアアンプ２を使用して送信することができる。その時の無線機１の出力はリニアアンプ２の１４ＭＨｚ帯のゲインに合わせて設定した出力である３９Ｗｐｅｐに制限されるため、当然リニアアンプに過入力となることもない。他の帯域から１４ＭＨｚ帯に変更した場合であっても記憶した値が使用されるため、再調整の必要がない。
【００３９】
また７ＭＨｚ帯や２１ＭＨｚ帯は最大電力値の設定は記憶されているが、リニアアンプ制御の設定はＯｆｆとなっている。これは通常はリニアアンプを使用せず、無線機１の電力調整部１０６による設定で送信される。リニアアンプを使用する場合は、リニアアンプ制御をＯＮにするだけでよく、無線機１の電力調整部１０６がいかなる値であっても、リニアアンプ２の入力が過入力となることはない。
【００４０】
図５（ｂ）の８ｃｈの２１．２２５ＭＨｚは最大電力値が設定され、リニアアンプ制御がＯｎになっている。たとえば、２１ＭＨｚ帯のリニアアンプ制御の設定がＯｆｆであっても、同じ帯域内に含まれているにもかかわらずメモリチャネルでの運用では、リニアアンプ２を使用して送信するといったことも可能である。
【００４１】
これらより、帯域毎に異なるリニアアンプのゲインに合わせて、その都度無線機の電力調整を行う必要が無く、快適な運用が可能となる。
【００４２】
最大電力値記憶部１０９に、リニアアンプ２の入力電力に適した設定を記憶させる方法を説明する。
ａ）リニアアンプ２を使用して送信するとして、無線機１の電力調整を最小値にしてＣＷ等の連続キャリアが送信可能な電波形式に設定して送信する。
ｂ）電力調整を徐々に上げていき、外部ＡＬＣによる制御が開始された状態の送信電力となる基準電圧１ｂのデジタル値（電力制御値）１ｂ（ｄ）またはＡＤ変換器１０７の出力を記憶する。リニアアンプ２に搭載された表示部２０７に表示されるリニアアンプ側から出力する外部ＡＬＣのレベルの表示であるＡＬＣメーターで確認して最大電力記憶部１０８に無線機１の操作部１５０からの操作により手動で記憶させる。
ｃ）上記を帯域毎に繰り返す。
【００４３】
前記したように、安全を考慮し最大電力値が設定されていない帯域では、リニアアンプ２を介して送信ができないようになっている場合もある。そのため、無線機１はリニアアンプ調整用のモードとして、リニアアンプ２を使用して送信中に電力調整部１０６による送信電力の可変が可能な調整モードを備えてもよく、前記調整モードにしてから上記設定を行ってもよい。
【００４４】
また、調整モード制御部１１２を備え、調整モードにおいて最大電力値の記憶を自動で行ってもよい。
調整モード制御部１１２は、調整を開始すると、無線機１およびリニアアンプ２を送信状態とする。さらに、無線機１の出力を、所定の値から所定のステップで徐々に送信出力を自動で上昇させる。詳細には電力制御部１０８に対して外部ＡＬＣが動作しないことが明確な送信電力から徐々に上昇するよう電力制御値１ｂ（ｄ）を設定させる指示を行う。
さらには、外部ＡＬＣＩ／Ｆから外部ＡＬＣのレベルを検出し、外部ＡＬＣが所定の値となった際の電力制御値１ｂ（ｄ）を最大電力記憶部１０９に記憶させる。
【００４５】
周波数帯域毎に最大電力値を記憶するとしたが、むろんこれに限らず送信および受信周波数を記憶して記憶した周波数で運用するメモリチャネルによる運用の場合、そのメモリチャネル毎にリニアアンプを使用する設定を記憶すると共に最大電力値を記憶してもよい。
【００４６】
また、図示しないオートアンテナチューナのプリセット周波数帯毎に最大電力値を記憶してもよい。
オートアンテナチューナはアンテナと無線機との整合を図るための装置である。同一帯域内であっても、ＨＦ帯では使用しているアンテナが帯域内全てをカバーできない場合もあり帯域の端ではＳＷＲが高くなり、同じ帯域内であっても周波数を移動した際には整合を取り直す必要がある。
無線機またはリニアアンプにオートアンテナチューナを内蔵している場合には、一度整合した状態を記憶するプリセットを周波数帯の幅に対して細分化して記憶しているため、その帯域毎に最大電力値を記憶してもよい。
【００４７】
また、上記リニアアンプのオートアンテナチューナの整合完了直後に引き続いて最大電力値の記憶の動作を行うことを自動で行ってもよい。
【００４８】
以上の動作により、リニアアンプ２に対して最適な入力電力となるように、無線機器１の送信出力を調整した後、ユーザが、故意に、または意図せず送信電力を調整しても、リニアアンプ２に課題な電力が入力されることを阻止することが出来る。
【符号の説明】
【００４９】
１  無線機、１０１  変調器、１０２可変増幅器、１０３  電力増幅器、
１０４  電力検出器、１０５、電力比較器、１４０  電力制御部
１５０  操作部、２  リニアアンプ、３  アンテナ
【図１】
2014093534.tif 000003
【図２】
2014093534.tif 000004
【図３】
2014093534.tif 000005
【図４】
2014093534.tif 000006
【図５】
2014093534.tif 000007